(57)【特許請求の範囲】
【請求項１】
天井下地に張設される膜材を有する膜天井構造であって、
天井近傍に固定されて前記膜材の一方端部が取り付けられる膜材固定部材と、
前記膜材の他方端部が取り付けられる膜支持部材と、
前記膜支持部材を前記天井下地に取り付ける取付部材と、
を有し、
前記膜支持部材は、前記天井下地に取り付けられる天井取付板部と、前記天井取付板部における前記膜材固定部材側の端縁に接続されて天井取付板部に対して前記天井下地から離間する方向に屈曲する屈曲部と、前記屈曲部における前記天井取付板部の反対側の端縁に接続されて前記天井下地から離間する方向に延在する先端板部と、を備え、前記膜材の他方端部が、前記先端板部の先端縁から前記先端板部における前記膜材固定部材の反対側の面に回り込んで前記膜支持部材に取り付けられており、
前記取付部材は、前記屈曲部の前記膜材固定部材側及び前記天井下地側への移動を規制しながら、前記天井取付板部を前記天井下地側に移動させて前記天井下地に取り付ける、
膜天井構造。
【請求項２】
天井下地に張設される第一の膜材と、前記第一の膜材に隣接して前記天井下地に張設される第二の膜材と、を有する膜天井構造であって、
天井近傍に固定されて前記第一の膜材における前記第二の膜材の反対側の一方端部が取り付けられる第一の膜材固定部材と、
前記第一の膜材における前記第二の膜材側の他方端部が取り付けられる第一の膜支持部材と、
前記第二の膜材における前記第一の膜材側の一方端部が取り付けられる第二の膜支持部材と、
天井近傍に固定されて前記第二の膜材における前記第一の膜材の反対側の他方端部が取り付けられる第二の膜材固定部材と、
前記第一の膜支持部材及び前記第二の膜支持部材を前記天井下地に取り付ける取付部材と、
を有し、
前記第一の膜支持部材は、前記天井下地に取り付けられる第一の天井取付板部と、前記第一の天井取付板部における前記第一の膜材固定部材側の端縁に接続されて前記第一の天井取付板部に対して前記天井下地から離間する方向に屈曲する第一の屈曲部と、前記第一の屈曲部における前記第一の天井取付板部の反対側の端縁に接続されて前記天井下地から離間する方向に延在する第一の先端板部と、を備え、前記第一の膜材の他方端部が、前記第一の先端板部の先端縁から前記第一の先端板部における前記第一の膜材固定部材の反対側の面に回り込んで前記第一の膜支持部材に取り付けられており、
前記第二の膜支持部材は、前記天井下地に取り付けられる第二の天井取付板部と、前記第二の天井取付板部における前記第二の膜材固定部材側の端縁に接続されて前記第二の天井取付板部に対して前記天井下地から離間する方向に屈曲する第二の屈曲部と、前記第二の屈曲部における前記第二の天井取付板部の反対側の端縁に接続されて前記天井下地から離間する方向に延在する第二の先端板部と、を備え、前記第二の膜材の一方端部が、前記第二の先端板部の先端縁から前記第二の先端板部における前記第二の膜材固定部材の反対側の面に回り込んで前記第二の膜支持部材に取り付けられており、
前記取付部材は、前記第一の屈曲部の前記第一の膜材固定部材側及び前記天井下地側への移動を規制するとともに、前記第二の屈曲部の前記第二の膜材固定部材側及び前記天井下地側への移動を規制しながら、前記第一の天井取付板部及び前記第二の天井取付板部を一体的に前記天井下地側に移動させて前記天井下地に取り付ける、
膜天井構造。
【請求項３】
前記取付部材は、前記第一の天井取付板部及び前記第二の天井取付板部の鉛直方向下方に配置される一体取付部材と、前記一体取付部材を前記天井下地側に移動させる移動部材と、を備える、
請求項２に記載の膜天井構造。
【請求項４】
前記第一の膜支持部材は、前記第一の天井取付板部における前記第一の先端板部とは反対側の先端部から前記天井下地の反対側に突出した第一の突出端部を更に備え、
前記第二の膜支持部材は、前記第二の天井取付板部における前記第二の先端板部とは反対側の先端部から前記天井下地の反対側に突出した第二の突出端部を更に備え、
前記一体取付部材は、前記第一の天井取付板部及び前記第二の天井取付板部の下方に配置される底板部と、前記底板部の両端部から前記天井下地側に突出した一対の押上突出部と、を備える、請求項３に記載の膜天井構造。
【請求項５】
前記天井下地と前記天井取付板部との間に介挿されて前記天井取付板部が当接される天板部と、少なくとも前記天板部の一方端部から前記天井下地の反対側に突出して前記膜材固定部材側から前記屈曲部を係止する屈曲部係止用突出部と、を備える天井レールを更に有する、
請求項１〜４の何れか一項に記載の膜天井構造。
【請求項６】
前記天井取付板部と前記先端板部との成す角は鋭角である、請求項１〜５の何れか一項に記載の膜天井構造。
【請求項７】
前記膜材は、不燃性材料で構成されており、長さが６００ｍｍ以上５０００ｍｍ以下、幅が３００ｍｍ以上１８００ｍｍ以下である、請求項１〜６の何れか一項に記載の膜天井構造。
【請求項８】
一方端部が天井近傍に固定される第一の膜材の他方端部と、前記第一の膜材の他方端部側に隣接されて前記第一の膜材の反対側の他方端部が天井近傍に固定される第二の膜材の一方端部と、を天井下地に取り付けて前記第一の膜材及び前記第二の膜材を張設するための膜天井張設部材であって、
前記第一の膜材における前記第二の膜材側の他方端部が取り付けられる第一の膜支持部材と、
前記第二の膜材における前記第一の膜材側の一方端部が取り付けられる第二の膜支持部材と、
前記第一の膜支持部材及び前記第二の膜支持部材を前記天井下地に取り付ける取付部材と、
を有し、
前記第一の膜支持部材は、前記天井下地に取り付けられる第一の天井取付板部と、前記第一の天井取付板部における前記第一の膜材固定部材側の端縁に接続されて前記第一の天井取付板部に対して前記天井下地から離間する方向に屈曲する第一の屈曲部と、前記第一の屈曲部における前記第一の天井取付板部の反対側の端縁に接続されて前記天井下地から離間する方向に延在する第一の先端板部と、を備え、前記第一の膜材の他方端部が、前記第一の先端板部の先端縁から前記第一の先端板部における前記第一の膜材固定部材の反対側の面に回り込んで前記第一の膜支持部材に取り付けられており、
前記第二の膜支持部材は、前記天井下地に取り付けられる第二の天井取付板部と、前記第二の天井取付板部における前記第二の膜材固定部材側の端縁に接続されて前記第二の天井取付板部に対して前記天井下地から離間する方向に屈曲する第二の屈曲部と、前記第二の屈曲部における前記第二の天井取付板部の反対側の端縁に接続されて前記天井下地から離間する方向に延在する第二の先端板部と、を備え、前記第二の膜材の一方端部が、前記第二の先端板部の先端縁から前記第二の先端板部における前記第二の膜材固定部材の反対側の面に回り込んで前記第二の膜支持部材に取り付けられており、
前記取付部材は、前記第一の屈曲部の前記第一の膜材固定部材側及び前記天井下地側への移動を規制するとともに、前記第二の屈曲部の前記第二の膜材固定部材側及び前記天井下地側への移動を規制しながら、前記第一の天井取付板部及び前記第二の天井取付板部を一体的に前記天井下地側に移動させて前記天井下地に取り付ける、
膜天井張設部材。
【請求項９】
天井下地に第一の膜材と前記第一の膜材に隣接する第二の膜材とを張設する膜天井の施工方法であって、
天井近傍に固定される第一の膜材固定部材に前記第一の膜材における前記第二の膜材の反対側の一方端部を取り付け、
天井近傍に固定される第二の膜材固定部材に前記第二の膜材における前記第一の膜材の反対側の他方端部を取り付け、
前記天井下地に取り付けられる第一の天井取付板部と、前記第一の天井取付板部における前記第一の膜材固定部材側の端縁に接続されて前記第一の天井取付板部に対して前記天井下地から離間する方向に屈曲する第一の屈曲部と、前記第一の屈曲部における前記第一の天井取付板部の反対側の端縁に接続されて前記天井下地から離間する方向に延在する第一の先端板部と、を備える第一の膜支持部材に、前記第一の膜材の他方端部を、前記第一の先端板部の先端縁から前記第一の先端板部における前記第一の膜材固定部材の反対側の面に回り込まして取り付け、
前記天井下地に取り付けられる第二の天井取付板部と、前記第二の天井取付板部における前記第二の膜材固定部材側の端縁に接続されて前記第二の天井取付板部に対して前記天井下地から離間する方向に屈曲する第二の屈曲部と、前記第二の屈曲部における前記第二の天井取付板部の反対側の端縁に接続されて前記天井下地から離間する方向に延在する第二の先端板部と、を備える第二の膜支持部材に、前記第二の膜材の一方端部を、前記第二の先端板部の先端縁から前記第二の先端板部における前記第二の膜材固定部材の反対側の面に回り込まして取り付け、
前記第一の屈曲部の前記第一の膜材固定部材側及び前記天井下地側への移動を規制するとともに、前記第二の屈曲部の前記第二の膜材固定部材側及び前記天井下地側への移動を規制しながら、前記第一の天井取付板部及び前記第二の天井取付板部を一体的に前記天井下地側に移動させて前記天井下地に取り付ける、
膜天井の施工方法。
【発明の詳細な説明】
【技術分野】
【０００１】
この発明は、天井下地の下方に膜材を張設した膜天井構造、天井下地の下方に膜材を張設する膜天井張設部材及びこの膜天井の施工方法に関する。
【背景技術】
【０００２】
マンションなどの比較的狭い天井面に膜天井を施工する方法として、特許文献１に、伸縮性を有する膜材を天井材とし、この膜材の天井材を引き伸ばして対向する一対の壁に設けられたフックに引っ掛けることが記載されている。
【０００３】
一方、ギャラリーやエントランスなどの広い面積の天井面には、不燃性材料を用いることが要求されるため、膜天井を構成する膜材として不燃膜材が使用される。この不燃膜材は、ガラス繊維織物にフッ素樹脂やシリコン樹脂などをコーティングしたガラス繊維樹脂シートなどが用いられる。しかしながら、このようなガラス繊維樹脂シートは非伸縮性を有するため、特許文献１に記載された方法のように、膜材の伸縮性を利用した張設方法を採用することができない。そこで、対向する壁の間に張力付与機構を有する設備を設置して不燃膜材を張設することも考えられる。しかしながら、不燃膜材を張設するスパン（間隔）が長くなるほど、強い力で不燃膜材を引っ張る必要があるため、大掛かりな張力付与機構が必要になり、しかも、この大掛かりな張力付与機構を取り付けるために強固に補強した天井下地も必要になる。
【先行技術文献】
【特許文献】
【０００４】
【特許文献１】特開平１１−１５９０５１号公報
【特許文献２】特開２００９−０９９４６５号公報
【発明の概要】
【発明が解決しようとする課題】
【０００５】
ところで、特許文献２には、四本の枠材を矩形に組んだフレーム枠に膜材を張設してパネルを作成し、このパネルを、所定幅の目地を設けて順次天井下地に取り付ける照明カバーが記載されている。そこで、特許文献２に記載された技術を、広い面積の天井面に不燃膜材を張設する膜天井に応用し、四本の枠材を矩形に組んだフレーム枠に不燃膜材を張設したパネルを順次天井下地に取り付けることで、膜天井を施工する方法が考えられる。
【０００６】
しかしながら、四本の枠材を矩形に組んでフレーム枠を製造する作業は手間がかかる。また、施工後に地震などの振動が発生し、パネル内の張力が弛んで隣接するパネル間の目地幅が広がると、各パネルを取り外して目地幅の調整を行い、再度パネルを天井下地に取り付ける必要がある。しかも、枠材を矩形に組んだフレーム枠は、それ自体が重量物となるため、このフレーム枠を取り付けるために強固に補強した天井下地が必要になる。
【０００７】
そこで、本発明は、広い面積の天井面に簡単に膜天井を施工することができ、しかも、施工後においても容易に目地幅を調整できる膜天井構造、膜天井張設部材及び膜天井の施工方法を提供することを目的とする。
【課題を解決するための手段】
【０００８】
本発明に係る膜天井構造は、天井下地に張設される膜材を有する膜天井構造であって、天井近傍に固定されて膜材の一方端部が取り付けられる膜材固定部材と、膜材の他方端部が取り付けられる膜支持部材と、膜支持部材を天井下地に取り付ける取付部材と、を有し、膜支持部材は、天井下地に取り付けられる天井取付板部と、天井取付板部における膜材固定部材側の端縁に接続されて天井取付板部に対して天井下地から離間する方向に屈曲する屈曲部と、屈曲部における天井取付板部の反対側の端縁に接続されて天井下地から離間する方向に延在する先端板部と、を備え、膜材の他方端部が、先端板部の先端縁から先端板部における膜材固定部材の反対側の面に回り込んで膜支持部材に取り付けられており、取付部材は、屈曲部の膜材固定部材側及び天井下地側への移動を規制しながら、天井取付板部を天井下地側に移動させて天井下地に取り付けるものである。
【０００９】
本発明に係る膜天井構造では、膜材の一方端部が膜材固定部材に取り付けられるとともに、膜材の他方端部が先端板部の先端縁から先端板部における膜材固定部材の反対側の面に回り込んで膜支持部材に取り付けられているため、天井取付板部を天井下地に取り付けるために取付部材で天井取付板部を天井下地側に移動させると、膜材の張力等により先端板部が膜材固定部材側に引っ張られる。このとき、屈曲部の膜材固定部材側及び天井下地側への移動が規制されるため、膜支持部材は、屈曲部を支点として回動し、先端板部が膜材固定部材の反対側に向けて移動する。これにより、膜材は、膜材固定部材の反対側に向けて引っ張られて、天井下地に設置される。
【００１０】
このように、本発明に係る膜天井構造によれば、取付部材で天井取付板部を天井下地に取り付けることにより、天井下地に対する膜材の設置と、膜材に対する張力の付与とを同時に行うことができるため、簡単に膜天井を施工することができる。しかも、膜材の伸縮性を必要としないため、ガラス繊維樹脂シートのような非伸縮性の不燃膜材を使用することができる。これにより、広い面積の天井面にも、簡単に膜天井を施工することができる。
【００１１】
更に、この膜天井構造は、従来のものと異なり、膜固定部材、膜支持部材及び取付部材という簡易な構成であるため、膜天井の大幅な軽量化を図ることができる。このため、従来の膜天井のように、建物側に大掛かりな補強を行う必要が無くなる。これにより、例えば、補強工事が行われていない既存の天井下地や軽量鉄骨下地などにも簡単に膜天井を施工することができる。しかも、このように簡易かつ軽量な構成であることから、膜天井を複数に分割して多数の膜材を天井下地に張設することができる。これにより、極めて広い面積の天井面にも、簡単に膜天井を施工することができる。また、このように膜天井を分割することで、膜材の一枚あたりの張力が小さくなるため、天井下地をより簡素なものとすることができる。
【００１２】
しかも、取付部材による天井取付板部の移動量を変えると、屈曲部を回転軸とした先端板部における先端縁の回転位置が変わるため、施工後に発生した地震などの振動により、隣接する膜材の間の目地幅が変化したとしても、取付部材による天井取付板部の移動量を調整するだけで、容易に目地幅を調整することができる。
【００１３】
なお、膜材固定部材としては、本発明における膜支持部材及び取付部材で構成されるものや、バネやゴムで膜材を引っ張るものなど、様々なものを採用することができる。
【００１４】
本発明に係る膜天井構造は、天井下地に張設される第一の膜材と、第一の膜材に隣接して天井下地に張設される第二の膜材と、を有する膜天井構造であって、天井近傍に固定されて第一の膜材における第二の膜材の反対側の一方端部が取り付けられる第一の膜材固定部材と、第一の膜材における第二の膜材側の他方端部が取り付けられる第一の膜支持部材と、第二の膜材における第一の膜材側の一方端部が取り付けられる第二の膜支持部材と、天井近傍に固定されて第二の膜材における第一の膜材の反対側の他方端部が取り付けられる第二の膜材固定部材と、第一の膜支持部材及び第二の膜支持部材を天井下地に取り付ける取付部材と、を有し、第一の膜支持部材は、天井下地に取り付けられる第一の天井取付板部と、第一の天井取付板部における第一の膜材固定部材側の端縁に接続されて第一の天井取付板部に対して天井下地から離間する方向に屈曲する第一の屈曲部と、第一の屈曲部における第一の天井取付板部の反対側の端縁に接続されて天井下地から離間する方向に延在する第一の先端板部と、を備え、第一の膜材の他方端部が、第一の先端板部の先端縁から第一の先端板部における第一の膜材固定部材の反対側の面に回り込んで第一の膜支持部材に取り付けられており、第二の膜支持部材は、天井下地に取り付けられる第二の天井取付板部と、第二の天井取付板部における第二の膜材固定部材側の端縁に接続されて第二の天井取付板部に対して天井下地から離間する方向に屈曲する第二の屈曲部と、第二の屈曲部における第二の天井取付板部の反対側の端縁に接続されて天井下地から離間する方向に延在する第二の先端板部と、を備え、第二の膜材の一方端部が、第二の先端板部の先端縁から第二の先端板部における第二の膜材固定部材の反対側の面に回り込んで第二の膜支持部材に取り付けられており、取付部材は、第一の屈曲部の第一の膜材固定部材側及び天井下地側への移動を規制するとともに、第二の屈曲部の第一の膜材固定部材側及び天井下地側への移動を規制しながら、第一の天井取付板部及び第二の天井取付板部を一体的に天井下地側に移動させて天井下地に取り付けるものである。
【００１５】
本発明に係る膜天井構造では、第一の膜材の他方端部が、第一の先端板部の先端縁から第一の先端板部における第一の膜固定部材の反対側に回り込んで第一の膜支持部材に取り付けられており、第二の膜材の一方端部が、第二の先端板部の先端縁から第二の先端板部における第二の膜固定部材の反対側に回り込んで第二の膜支持部材に取り付けられているため、第一の天井取付板部及び第二の天井取付板部を天井下地に取り付けるために取付部材で第一の天井取付板部及び第二の天井取付板部を天井下地側に移動させると、第一の膜材及び第二の膜材の張力等により、第一の先端板部が第一の膜材固定部材側に引っ張られるとともに、第二の先端板部が第二の膜材固定部材側に引っ張られる。このとき、第一の膜支持部材における屈曲部の第一の膜材固定部材側及び天井下地側への移動が規制されるとともに、第二の膜支持部材における屈曲部の第二の膜材固定部材側及び天井下地側への移動が規制されるため、第一の膜支持部材及び第二の膜支持部材は、屈曲部を支点として回動し、第一の先端板部が第一の膜材固定部材の反対側に向けて移動するとともに、第二の先端板部が第二の膜材固定部材の反対側に向けて移動する。これにより、第一の膜材は、第一の膜材固定部材の反対側に向けて引っ張られて天井下地に設置されるとともに、第二の膜材は、第二の膜材固定部材の反対側に向けて引っ張られて天井下地に設置される。
【００１６】
このように、本発明に係る膜天井構造によれば、取付部材で第一の天井取付板部及び第二の天井取付板部を天井下地に取り付けることにより、隣接する膜材の天井下地に対する設置と、この隣接する膜材に対する張力の付与とを同時に行うことができるため、簡単に膜天井を施工することができる。しかも、第一の膜材及び第二の膜材の伸縮性を必要としないため、ガラス繊維樹脂シートのような非伸縮性の不燃膜材を使用することができる。これにより、広い面積の天井面にも、簡単に膜天井を施工することができる。
【００１７】
更に、この膜天井構造は、従来のものと異なり、一対の膜材固定部材、一対の膜支持部材及び取付部材という簡易な構成であるため、膜天井の大幅な軽量化を図ることができる。このため、従来の膜天井のように、建物側に大掛かりな補強を行う必要が無くなる。これにより、例えば、補強工事が行われていない既存の天井下地や軽量鉄骨下地などにも簡単に膜天井を施工することができる。しかも、このように簡易かつ軽量な構成であることから、膜天井を複数に分割して多数の膜材を天井下地に張設することができる。これにより、極めて広い面積の天井面にも、簡単に膜天井を施工することができる。また、このように膜天井を分割することで、膜材の一枚あたりの張力が小さくなるため、天井下地をより簡素なものとすることができる。
【００１８】
しかも、取付部材による第一の天井取付板部及び第二の天井取付板部の移動量を変えると、屈曲部を回転軸とした第一の先端板部及び第二の先端板部における先端縁の回転位置が変わるため、施工後に発生した地震などの振動により、隣接する膜材の間の目地幅が変化したとしても、取付部材による第一の天井取付板部及び第二の天井取付板部の移動量を調整するだけで、容易に目地幅を調整することができる。
【００１９】
また、本発明は、取付部材が、第一の天井取付板部及び第二の天井取付板部の鉛直方向下方に配置される一体取付部材と、一体取付部材を天井下地側に移動させる移動部材と、を備えるものとすることができる。このように構成すれば、一体取付部材を天井下地側に移動させることで、隣接する第一の天井取付板部及び第二の天井取付板部を一体的に天井下地側に移動させて天井下地に取り付けることができる。これにより、隣接する第一の膜材及び第二の膜材の間の目地幅を容易に調整することができる。しかも、隣接する第一の膜支持部材及び第二の膜支持部材の間の中央付近に移動部材を配置することで、隣接する第一の膜材及び第二の膜材の間の目地幅を狭くしても、移動部材の操作性が低下するのを抑制することができる。
【００２０】
また、本発明は、第一の膜支持部材が、第一の天井取付板部における第一の先端板部とは反対側の先端部から天井下地の反対側に突出した第一の突出端部を更に備えるものとし、第二の膜支持部材が、第二の天井取付板部における第二の先端板部とは反対側の先端部から天井下地の反対側に突出した第二の突出端部を更に備えるものとし、一体取付部材が、第一の天井取付板部及び第二の天井取付板部の下方に配置される底板部と、底板部の両端部から天井下地側に突出した一対の押上突出部と、を備えるものとすることができる。このように構成すれば、第一の突出端部及び第二の突出端部を第一の押上突出部及び第二の押上突出部に引っ掛けることで、底板部の上方に第一の天井取付板部及び第二の天井取付板部が配置された状態を保持することができるため、一体取付部材を天井下地側に移動させる際の作業性を向上することができる。しかも、第一の突出端部及び第二の突出端部が第一の押上突出部及び第二の押上突出部に係止されることで、第一の屈曲部の第一の膜材固定部材側への移動を規制することができるとともに、第二の屈曲部の第二の膜材固定部材側及び天井下地側への移動を規制することができる。
【００２１】
また、本発明は、天井下地と天井取付板部との間に介挿されて天井取付板部が当接される天板部と、少なくとも天板部の一方端部から天井下地の反対側に突出して膜材固定部材側から屈曲部を係止する屈曲部係止用突出部と、を備える天井レールを更に有するものとすることができる。このように構成すれば、屈曲部が天板部に当接されるとともに屈曲部係止用突出部に係止されることで、屈曲部の天井下地側への移動及び膜材固定部材側への移動を規制することができる。ところで、膜支持部材の回転支点となる屈曲部には、膜材に付与された張力に基づく荷重が集中するため、屈曲部が直接天井下地に当接されると、天井下地の負荷が大きくなって天井下地が変形する可能性がある。そこで、天井下地と天井取付板部との間に天板部を介挿することで、天井下地の負荷を軽減して天井下地が変形するのを抑制することができる。そして、この屈曲部係止用突出部を天板部の両端部に設けることで、隣接する膜材に取り付けられる一対の隣接した膜支持部材における各屈曲部の天井下地側への移動及び膜材固定部材側への移動を規制することができる。しかも、この隣接した膜支持部材の位置関係を固定することができるため、容易に目地幅の均一化を図ることができる。
【００２２】
また、本発明は、天井取付板部と先端板部との成す角を鋭角とすることができる。これにより、隣接して張設される膜材との間の目地幅を狭くすることができる。しかも、目地から張設部材を見え難くすることができるとともに、目地自体を目立たなくすることができるため、室内から見上げた際にあたかも一枚の膜材からなる膜天井であるように感じさせることができる。
【００２３】
また、本発明は、膜材が、不燃性材料で構成されたものとしり、長さが６００ｍｍ以上５０００ｍｍ以下、幅が３００ｍｍ以上１８００ｍｍ以下であるものとすることができる。このように不燃性材料の膜材を用いることで、広い面積の天井面に天井膜を施工することができる。しかも、膜材をこのような寸法にすることで、膜材に付与する張力の低減と膜材を張設する作業性とを両立することができる。
【００２４】
本発明に係る膜天井張設部材は、一方端部が天井近傍に固定される第一の膜材と、第一の膜材の他方端部側に隣接されて第一の膜材の反対側の他方端部が天井近傍に固定される第二の膜材と、を天井下地に張設するための膜天井張設部材であって、第一の膜材における第二の膜材側の他方端部が取り付けられる第一の膜支持部材と、第二の膜材における第一の膜材側の一方端部が取り付けられる第二の膜支持部材と、第一の膜支持部材及び第二の膜支持部材を天井下地に取り付ける取付部材と、を有し、第一の膜支持部材は、天井下地に取り付けられる第一の天井取付板部と、第一の天井取付板部における第一の膜材固定部材側の端縁に接続されて第一の天井取付板部に対して天井下地から離間する方向に屈曲する第一の屈曲部と、第一の屈曲部における第一の天井取付板部の反対側の端縁に接続されて天井下地から離間する方向に延在する第一の先端板部と、を備え、第一の膜材の他方端部が、第一の先端板部の先端縁から第一の先端板部における第一の膜材固定部材の反対側の面に回り込んで第一の膜支持部材に取り付けられており、第二の膜支持部材は、天井下地に取り付けられる第二の天井取付板部と、第二の天井取付板部における第二の膜材固定部材側の端縁に接続されて第二の天井取付板部に対して天井下地から離間する方向に屈曲する第二の屈曲部と、第二の屈曲部における第二の天井取付板部の反対側の端縁に接続されて天井下地から離間する方向に延在する第二の先端板部と、を備え、第二の膜材の一方端部が、第二の先端板部の先端縁から第二の先端板部における第二の膜材固定部材の反対側の面に回り込んで第二の膜支持部材に取り付けられており、取付部材は、第一の屈曲部の第一の膜材固定部材側及び天井下地側への移動を規制するとともに、第二の屈曲部の第二の膜材固定部材側及び天井下地側への移動を規制しながら、第一の天井取付板部及び第二の天井取付板部を一体的に天井下地側に移動させて天井下地に取り付けるものである。
【００２５】
本発明に係る膜天井張設部材によれば、上述したように、取付部材で第一の天井取付板部及び第二の天井取付板部を天井下地に取り付けることにより、隣接する膜材の天井下地に対する設置と、この隣接する膜材に対する張力の付与とを同時に行うことができるため、簡単に膜天井を施工することができる。しかも、膜材の伸縮性を必要としないため、ガラス繊維樹脂シートのような非伸縮性の不燃膜材を使用することができる。これにより、広い面積の天井面にも、簡単に膜天井を施工することができる。
【００２６】
更に、この膜天井張設部材は、一対の膜支持部材及び取付部材という簡易な構成であるため、膜天井の大幅な軽量化を図ることができるため、従来の膜天井のように、建物側に大掛かりな補強を行う必要が無くなる。これにより、例えば、補強工事が行われていない既存の天井下地や軽量鉄骨下地などにも簡単に膜天井を施工することができる。しかも、このように簡易かつ軽量な構成であることから、膜天井を複数に分割して多数の膜材を天井下地に張設することができる。これにより、極めて広い面積の天井面にも、簡単に膜天井を施工することができる。また、このように膜天井を分割することで、膜材の一枚あたりの張力が小さくなるため、天井下地をより簡素なものとすることができる。
【００２７】
しかも、取付部材による第一の天井取付板部及び第二の天井取付板部の移動量を変えると、屈曲部を回転軸とした第一の先端板部及び第二の先端板部における先端縁の回転位置が変わるため、施工後に発生した地震などの振動により、隣接する膜材の間の目地幅が変化したとしても、取付部材による第一の天井取付板部及び第二の天井取付板部の移動量を調整するだけで、容易に目地幅を調整することができる。
【００２８】
本発明に係る膜天井の施工方法は、天井下地に第一の膜材と第一の膜材に隣接する第二の膜材とを張設する膜天井の施工方法であって、天井近傍に固定される第一の膜材固定部材に第一の膜材における第二の膜材の反対側の一方端部を取り付け、天井近傍に固定される第二の膜材固定部材に第二の膜材における第一の膜材の反対側の他方端部を取り付け、天井下地に取り付けられる第一の天井取付板部と、第一の天井取付板部における第一の膜材固定部材側の端縁に接続されて第一の天井取付板部に対して天井下地から離間する方向に屈曲する第一の屈曲部と、第一の屈曲部における第一の天井取付板部の反対側の端縁に接続されて天井下地から離間する方向に延在する第一の先端板部と、を備える第一の膜支持部材に、第一の膜材の他方端部を、第一の先端板部の先端縁から第一の先端板部における第一の膜材固定部材の反対側の面に回り込まして取り付け、天井下地に取り付けられる第二の天井取付板部と、第二の天井取付板部における第二の膜材固定部材側の端縁に接続されて第二の天井取付板部に対して天井下地から離間する方向に屈曲する第二の屈曲部と、第二の屈曲部における第二の天井取付板部の反対側の端縁に接続されて天井下地から離間する方向に延在する第二の先端板部と、を備える第二の膜支持部材に、第二の膜材の一方端部を、第二の先端板部の先端縁から第二の先端板部における第二の膜材固定部材の反対側の面に回り込まして取り付け、第一の屈曲部の第一の膜材固定部材側及び天井下地側への移動を規制するとともに、第二の屈曲部の第二の膜材固定部材側及び天井下地側への移動を規制しながら、第一の天井取付板部及び第二の天井取付板部を一体的に天井下地側に移動させて天井下地に取り付ける。
【００２９】
本発明に係る膜天井の施工方法によれば、第一の膜材固定部材及び第一の膜支持部材に第一の膜材を取り付けるとともに、第二の膜材を第二の膜材固定部材及び第二の膜支持部材に第二の膜材を取り付けると、第一の膜材及び第二の膜材の張力等により、第一の先端板部が第一の膜材固定部材側に引っ張られるとともに、第二の先端板部が第二の膜材固定部材側に引っ張られる。そして、第一の膜支持部材における屈曲部の第一の膜材固定部材側及び天井下地側への移動を規制するとともに、第二の膜支持部材における屈曲部の第二の膜材固定部材側及び天井下地側への移動を規制しながら、第一の天井取付板部及び第二の天井取付板部を一体的に天井下地側に移動させることで、屈曲部を支点として第一の膜支持部材及び第二の膜支持部材を回動させて、第一の先端板部を第一の膜材固定部材の反対側に向けて移動させるとともに、第二の先端板部を第二の膜材固定部材の反対側に向けて移動させることができる。これにより、第一の膜材は、第一の膜材固定部材の反対側に向けて引っ張られて天井下地に設置されるとともに、第二の膜材は、第二の膜材固定部材の反対側に向けて引っ張られて天井下地に設置される。
【００３０】
このように、本発明に係る膜天井の施工方法によれば、第一の膜支持部材及び第二の膜支持部材を天井下地に取り付けることにより、隣接する膜材の天井下地に対する設置と、この隣接する膜材に対する張力の付与とを同時に行うことができるため、簡単に膜天井を施工することができる。しかも、第一の膜材及び第二の膜材の伸縮性を必要としないため、ガラス繊維樹脂シートのような非伸縮性の不燃膜材を使用することができる。これにより、広い面積の天井面にも、簡単に膜天井を施工することができる。
【００３１】
更に、施工に用いる部材が簡易な構成のもので済むため、膜天井の大幅な軽量化を図ることができる。このため、建物側に大掛かりな補強を行う必要が無くなる。これにより、例えば、補強工事が行われていない既存の天井下地や軽量鉄骨下地などにも簡単に膜天井を施工することができる。また、膜天井を複数に分割して施工することで、極めて広い面積の天井面にも、簡単に膜天井を施工することができるとともに、膜材の一枚あたりの張力が小さくなるため、天井下地をより簡素なものとすることができる。
【００３２】
しかも、このような方法で膜天井を施工すれば、第一の天井取付板部及び第二の天井取付板部の移動量を変えることで、屈曲部を回転軸とした第一の先端板部及び第二の先端板部における先端縁の回転位置を変えることができるため、施工後に発生した地震などの振動により、隣接する第一の膜材及び第二の膜材の間の目地幅が変化したとしても、第一の天井取付板部及び第二の天井取付板部の移動量を調整するだけで、容易に目地幅を調整することができる。
【発明の効果】
【００３３】
本発明によれば、広い面積の天井面に簡単に膜天井を施工することができ、しかも、施工後においても容易に目地幅を調整できる。
【図面の簡単な説明】
【００３４】
【図１】実施形態に係る膜天井を示す断面図である。
【図２】図１に示す膜天井の一部拡大図である。
【図３】膜材を膜支持部材に取り付ける状態を示した正面図である。
【図４】天井下地に天井レールを取り付けた状態を示した斜視図である。
【図５】天井レールの下方に押上レールを取り付けた状態を示した断面図である。
【図６】部屋隅の天井下地に取り付けた天井レールに膜支持部材を取り付けた状態を示した断面図である。
【図７】押上レールに膜支持部材を引っ掛ける状態を示した断面図である。
【図８】押上ネジにより押上レールを押し上げている状態を示した断面図である。
【図９】図８の状態を示した斜視図である。
【図１０】張設部材の他の例を示す一部拡大図である。
【発明を実施するための形態】
【００３５】
以下、図面を参照して、本発明に係る膜天井構造、膜天井張設部材及び膜天井の施工方法の好適な実施形態について詳細に説明する。なお、全図中、同一または相当部分には同一符号を付し、重複する説明を省略する。
【００３６】
図１は、実施形態に係る膜天井を示す断面図であり、図２は、図１に示す膜天井の一部拡大図である。図１に示すように、本実施形態に係る膜天井１は、ギャラリーやエントランス等の広い面積の天井面に、複数に分割して施工されるものである。
【００３７】
膜天井１は、天井下地２の下方に張設される矩形の膜材３と、膜材３を天井下地２の下方に張設する張設部材１０と、を備えている。なお、図２では、隣接する２枚の膜材３を図示しているため、便宜上、張設部材１０に対して膜天井１の一方端部側に配置される膜材を膜材３Ａとし、張設部材１０に対して膜天井１の他方端部側に配置される膜材を膜材３Ｂとして図示している。
【００３８】
天井下地２は、天井材である膜材３を張設するための建物部位であり、梁などの建物躯体そのものや、躯体から吊下されたＣチャンネルバーなどの下地材や、建物躯体又は下地材の下面に貼り付けられた石膏ボードなど、様々なものがある。
【００３９】
膜材３は、矩形の薄いシート状に形成されており、その一方端部及び他方端部が張設部材１０に取り付けられている。
【００４０】
この膜材３は、広い面積の天井面に張設する観点から、不燃性材料で構成されていることが好ましく、特に、膜材料等認定品マップのＡ種、Ｂ種及びＣ種に規定されるような難燃処理が施されていることが好ましい。不燃性材料の膜材３としては、例えば、ガラス繊維織物に樹脂をコーティングしたガラス繊維樹脂シートが挙げられる。ガラス繊維樹脂シートは、ガラス繊維束で構成される経糸と緯糸とで製織したガラス繊維原反を樹脂で目止めし、この目止めしたガラス繊維原反の一方面側又は両面側に樹脂シートを積層したものである。目止めの樹脂及び積層する樹脂シートは、不燃性及び防汚性の観点からフッ素樹脂、シリコン樹脂又は塩化ビニル樹脂であることが好ましい。このようなガラス繊維樹脂シートとしては、例えば、日東紡績株式会社製のライトシェードに用いられているＷ１８００Ｇ２１３などがある。
【００４１】
ガラス繊維樹脂シートの膜材３は、伸縮性が低いため、張設する際に十分な張力を付与しないと垂れやすくなる。このため、膜材３を大きくしすぎると、膜材３に付与する張力が過大となって施工性が低下し、更に膜材３の取り扱い性も低下する。一方、膜材３を小さくしすぎると、使用する膜材３の枚数が増加するため作業工数が増加する。そこで、膜材３の長さは、６００ｍｍ以上５０００ｍｍ以下であることが好ましく、９００ｍｍ以上２７００ｍｍ以下であることが更に好ましい。また、膜材３の幅は、３００ｍｍ以上１８００ｍｍ以下であることが好ましく、４５０ｍｍ以上１２００ｍｍ以下であることが更に好ましい。膜材３の長さを５０００ｍｍよりも長くし、膜材３の幅を１２００ｍｍよりも広くすると、膜材３に付与する張力が過大となるため施工性が低下し、更に膜材３の取り扱い性も低下する。一方、膜材３の長さを６００ｍｍよりも短くし、膜材３の幅を３００ｍｍよりも狭くすると、使用する膜材３の枚数が増加するため作業工数が増加する。そこで、膜材３の寸法を上記範囲とすることで、施工性及び膜材３の取り扱い性を向上させ、作業性を低下させることができる。
【００４２】
この場合、膜材３は、張設部材１０に取り付けられている一方端部及び他方端部を除いた部分のみが天井面となるため、天井面となる膜材３の見かけ寸法が、上記の範囲になることが好ましい。張設部材１０に取り付けられる膜材３の取付しろの寸法は、張設部材１０の大きさや膜材３の大きさにも拠るが、例えば、３０ｍｍ以上１００ｍｍ以下となる。なお、本発明者らが作成した膜材３では、長さを９００ｍｍ、幅を１８９０ｍｍとし、取付しろの寸法を５０ｍｍとすることで、見かけ寸法の長さを９００ｍｍ、見かけ寸法の幅を１７９０とした。
【００４３】
張設部材１０は、膜支持部材１１Ａと、膜支持部材１１Ｂと、天井レール１２と、押上レール１３と、押上ネジ１４と、を備えている。
【００４４】
膜支持部材１１Ａは、膜材３の一方端部が取り付けられるとともに、天井レール１２を介して天井下地２に取り付けられる部材である。膜支持部材１１Ｂは、膜材３の他方端部が取り付けられるとともに、天井レール１２を介して天井下地２に取り付けられる部材である。
【００４５】
膜支持部材１１Ａは、所定厚さの平板を屈曲することにより形成された同一断面の長尺部材となっている。この膜支持部材１１Ａは、天井下地２に取り付けられる平板状の天井取付板部２１Ａと、天井取付板部２１Ａにおける膜支持部材１１Ｂ側の端縁に接続されて天井下地２から離間する方向に屈曲する屈曲部２４Ａと、屈曲部２４Ａにおける天井取付板部２１Ａの反対側の端縁に接続されて天井下地２から離間する方向に延在する先端板部２２Ａと、天井取付板部２１Ａにおける先端板部２２Ａとは反対側の先端部から天井下地２の反対側に突出された突出端部２３Ａと、を備えている。
【００４６】
膜支持部材１１Ｂは、所定厚さの平板を屈曲することにより形成された同一断面の長尺部材となっている。この膜支持部材１１Ｂは、天井下地２に取り付けられる平板状の天井取付板部２１Ｂと、天井取付板部２１Ｂにおける膜支持部材１１Ａ側の端縁に接続されて天井下地２から離間する方向に屈曲する屈曲部２４Ｂと、屈曲部２４Ｂにおける天井取付板部２１Ｂの反対側の端縁に接続されて天井下地２から離間する方向に延在する先端板部２２Ｂと、天井取付板部２１Ｂにおける先端板部２２Ｂとは反対側の先端部から天井下地２の反対側に突出された突出端部２３Ｂと、を備えている。
【００４７】
なお、膜支持部材１１Ａと膜支持部材１１Ｂとは、膜材３を介して対向配置されるため、膜支持部材１１Ａと膜支持部材１１Ｂとが向かい合う側（図２における膜支持部材１１Ａの右側）が張設部材１０の内側となり、膜支持部材１１Ａと膜支持部材１１Ｂとが背を向ける側（図２における膜支持部材１１Ａの左側）が張設部材１０の外側となる。
【００４８】
そして、膜支持部材１１Ａ及び膜支持部材１１Ｂは構成が同一であるため、以下では、特に符号を１１Ａと１１Ｂとに分けて記載する場合を除き、膜支持部材１１Ａ及び膜支持部材１１Ｂを同じ膜支持部材１１として説明する。
【００４９】
天井取付板部２１は、押上レール１３により押し上げられて、天井レール１２を介して天井下地２に取り付けられる部位である。
【００５０】
先端板部２２は、膜材３の端部が取り付けられる部位である。具体的に説明すると、先端板部２２Ａにおける膜支持部材１１Ｂの反対側の面である外側面２２ａに、先端板部２２Ａの先端縁から膜支持部材１１Ｂの反対側に回り込んだ膜材３の一方端部が取り付けられており、先端板部２２Ｂにおける膜支持部材１１Ａの反対側の面である外側面２２ａに、先端板部２２Ｂの先端縁から膜支持部材１１Ａの反対側に回り込んだ膜材３の他方端部が取り付けられている。なお、先端板部２２における外側面２２ａの裏側の面を内側面２２ｂという。
【００５１】
先端板部２２に対する膜材３の取り付けは、様々な方法により行うことができ、例えば、図２に示すような留具２５により行うことができる。この留具２５は、先端板部２２の外側面２２ａとの間に膜材３を挟みこむ押圧板２５ａと、膜材３を挟み込んだ押圧板２５ａを先端板部２２の外側面２２ａに押圧する押圧ネジ２５ｂとにより構成されている。押圧板２５ａには、押圧ネジ２５ｂが貫通される貫通孔が形成されており、先端板部２２には、押圧ネジ２５ｂが捩じ込まれるネジ穴が形成されている。なお、膜材３は、先端板部２２の長さ方向において複数個の留具２５により外側面２２ａに取り付けられることが好ましい。
【００５２】
突出端部２３は、押上レール１３に引っ掛ける部位であり、天井取付板部２１が天井下地２に取り付けられることで、天井取付板部２１の先端部から天井下地２の反対側（鉛直方向下側）に突出した状態となる。
【００５３】
屈曲部２４は、天井取付板部２１と先端板部２２とを鋭角に屈曲している。屈曲部２４の屈曲角度は、０°よりも大きく、９０°よりも小さい範囲であれば如何なる角度であっても良いが、作業性などの観点からは、３０°以上８５°以下が好ましく、４０°以上８０°以下が更に好ましく、５０°以上７５°以下が最も好ましい。この屈曲角度を３０°よりも狭くすると、先端板部２２の可動幅が広くなりすぎて作業性が低下してしまい、この屈曲角度を８５°よりも広くすると、先端板部２２の可動幅が狭くなりすぎて膜材３に付与できる張力が小さくなりすぎてしまう。そこで、屈曲部２４の屈曲角度を上記の範囲とすることで、作業性を確保しながら膜材３に適切な張力を付与することができる。
【００５４】
このように構成される膜支持部材１１は、板バネ状になっており、天井取付板部２１に対する先端板部２２の弾性変形が可能となっている。具体的に説明すると、膜材３の張力等により先端板部２２に外力が加わると、屈曲部２４が弾性変形して外力の方向に屈曲部２４の屈曲角度が変化するとともに、先端板部２２が弾性変形して外力の方向に先端板部２２が湾曲する。
【００５５】
膜支持部材１１の材質は、弾性を有するものであれば特に限定されるものではない。但し、加工性及び剛性の観点から、膜支持部材１１の材質は、金属であることが好ましく、アルミであることが更に好ましい。
【００５６】
天井レール１２は、天井下地２に取り付けられて、同じ膜材３に取り付けられる他方の膜支持部材１１側（先端板部２２における外側面２２ａの反対側である内側面２２ｂ側）に向かう屈曲部２４の移動を規制する部材である。すなわち、天井レール１２は、屈曲部２４Ａの膜支持部材１１Ｂ側に向かう移動を規制するとともに、屈曲部２４Ｂの膜支持部材１１Ａ側に向かう移動を規制する。天井レール１２は、所定厚さの平板を屈曲することにより形成された同一断面の長尺部材となっている。天井レール１２の材質は、特に限定されるものではないが、加工性及び剛性の観点からは、金属であることが好ましく、アルミであることが更に好ましい。
【００５７】
この天井レール１２は、天井下地２に取り付けられる平板状の天板部３１と、天板部３１の両端部から天板部３１に対して垂直に屈曲した一対の平板状の屈曲部係止用突出部３２Ａ及び屈曲部係止用突出部３２Ｂと、を備えている。
【００５８】
天板部３１は、天井下地２に取り付けられることで、天井下地２と膜支持部材１１との間に介挿されて天井取付板部２１に当接される部位である。天板部３１の幅方向（図２において左右方向）中央部には、押上ネジ１４が貫通される貫通孔３１ａが形成されている。
【００５９】
屈曲部係止用突出部３２Ａは、屈曲部２４Ａを係止することにより、同じ膜材３に取り付けられる他方の膜支持部材１１Ｂ側（先端板部２２の内側面２２ｂ側）に向かう屈曲部２４Ａの移動を規制する部位である。屈曲部係止用突出部３２Ｂは、屈曲部２４Ｂを係止することにより、同じ膜材３に取り付けられる他方の膜支持部材１１Ａ側（先端板部２２の内側面２２ｂ側）に向かう屈曲部２４Ｂの移動を規制する部位である。屈曲部係止用突出部３２Ａ及び屈曲部係止用突出部３２Ｂは、天板部３１が天井下地２に取り付けられることで、天板部３１の両端部から鉛直方向下方に突出した状態となる。このため、屈曲部係止用突出部３２Ａ及び屈曲部係止用突出部３２Ｂは、膜材３Ａの他方端部に取り付けられる膜支持部材１１Ｂと、この膜材３に隣接する膜材３Ｂの一方端部に取り付けられる膜支持部材１１Ａとを、互いに外側面２２ａを対向させた状態で、屈曲部２４Ａと屈曲部２４Ｂとを同時に係止することが可能となっている。
【００６０】
押上レール１３は、天井取付板部２１の下方に配置されて、押上ネジ１４により天井下地２側に押し上げられる部材である。押上レール１３は、所定厚さの平板を屈曲することにより形成された同一断面の長尺部材となっている。押上レール１３の材質は、特に限定されるものではないが、加工性及び剛性の観点からは、金属であることが好ましく、アルミであることが更に好ましい。
【００６１】
この押上レール１３は、平板状の底板部４１と、底板部４１の両端部から底板部４１に対して垂直に屈曲した一対の平板状の押上突出部４２Ａ及び押上突出部４２Ｂと、を備えている。
【００６２】
底板部４１は、膜材３Ａの他方端部に取り付けられる膜支持部材１１Ｂの天井取付板部２１Ｂ及び膜材３Ｂの一方端部に取り付けられる膜支持部材１１Ａの天井取付板部２１Ａの下方に配置されて、押上ネジ１４により天井下地２側に押し上げられる部位である。なお、この一対の膜支持部材１１Ａ及び膜支持部材１１Ｂは、一対の屈曲部係止用突出部３２に屈曲部２４が係止される一対の膜支持部材１１Ａ及び膜支持部材１１Ｂとなる。底板部４１の幅方向（図２において左右方向）中央部には、押上ネジ１４が貫通されるとともに押上ネジ１４の頭部が係止される貫通孔４１ａが形成されている。そして、底板部４１は、貫通孔４１ａに貫通された押上ネジ１４により、各天井取付板部２１の下方において略水平に配置されるとともに、この押上ネジ１４を天井下地２に捩じ込むことにより、天井下地２側に押し上げられる。
【００６３】
押上突出部４２Ａは、天井取付板部２１Ａを天井下地２側に押し上げるとともに、突出端部２３Ａが引っ掛けられる部位である。押上突出部４２Ｂは、天井取付板部２１Ｂを天井下地２側に押し上げるとともに、突出端部２３Ｂが引っ掛けられる部位である。押上突出部４２Ａ及び押上突出部４２Ｂは、底板部４１が一対の天井取付板部２１Ａ及び天井取付板部２１Ｂの下方において略水平に配置されることで、底板部４１の両端部から天井下地２側（鉛直方向上側）に突出した状態となる。そして、押上突出部４２Ａ及び押上突出部４２Ｂの先端が天井取付板部２１Ａ及び天井取付板部２１Ｂに当接され、押上突出部４２Ａ及び押上突出部４２Ｂの内側に突出端部２３Ａ及び突出端部２３Ｂが当接される。このため、押上突出部４２Ａ及び押上突出部４２Ｂの長さ（図２における上下方向の寸法）は、押上突出部４２Ａ及び押上突出部４２Ｂの先端が天井取付板部２１Ａ及び天井取付板部２１Ｂに当接されるように、突出端部２３Ａ及び突出端部２３Ｂの長さ以下の寸法となっている。
【００６４】
押上ネジ１４は、天井下地２に捩じ込むことで、押上レール１３を介して天井取付板部２１Ａ及び天井取付板部２１Ｂを間接的に天井下地２側に押し上げて、膜支持部材１１Ａ及び膜支持部材１１Ｂを天井下地２に取り付ける部材である。押上ネジ１４の材質は、特に限定されるものではないが、十分な強度を持たせる観点から、金属であることが好ましく、鋼材であることが更に好ましい。
【００６５】
この押上ネジ１４は、外表面に雄ネジが形成された棒状の棒状部５１と、ドライバなどの工具で押上ネジ１４を回転させるための頭部５２と、を備えている。棒状部５１の外径は、天井レール１２の貫通孔３１ａ及び押上レール１３の貫通孔４１ａの内径以下となっており、頭部５２の外径は、天井レール１２の貫通孔３１ａ及び押上レール１３の貫通孔４１ａの内径よりも大きくなっている。
【００６６】
次に、張設部材１０の寸法について説明する。
【００６７】
膜支持部材１１、天井レール１２及び押上レール１３の厚さは、例えば、０．５ｍｍ以上３．０ｍｍ以下であることが好ましく、１．０ｍｍ以上２．０ｍｍ以下であることが更に好ましい。この厚さを０．５ｍｍよりも薄くすると、膜支持部材１１、天井レール１２及び押上レール１３の剛性が低くなりすぎて膜材３を適切に支持することができなくなり、この厚さを３．０ｍｍよりも厚くすると、膜支持部材１１、天井レール１２及び押上レール１３が重くなってしまい、張設部材１０の軽量化が損なわれてしまう。そこで、膜支持部材１１、天井レール１２及び押上レール１３の厚さを上記の範囲とすることで、剛性を確保しながら、張設部材１０の軽量化を図ることができる。
【００６８】
先端板部２２の長さ（図２における長尺方向の寸法）は、例えば、２０ｍｍ以上１００ｍｍ以下であることが好ましく、３０ｍｍ以上９０ｍｍ以下であることが更に好ましい。この長さを２０ｍｍよりも短くすると、膜材３に付与できる張力が小さくなりすぎ、この長さを１００ｍｍよりも長くすると、先端板部２２の曲げ剛性が低下して膜材３に作用する張力により先端板部２２が撓んでしまう。そこで、先端板部２２の長さを上記の範囲とすることで、先端板部２２の剛性を確保しながら、膜材３に適切な張力を付与することができる。
【００６９】
天井レール１２の幅（図２における左右方向の寸法）は、例えば、５０ｍｍ以上１００ｍｍ以下であることが好ましく、６０ｍｍ以上９０ｍｍ以下であることが更に好ましい。天井レール１２は、一対の屈曲部２４の移動を係止する機能を有することから、この幅が５０ｍｍよりも狭いと、張設部材１０が小さくなりすぎて作業性が低下し、この幅が１００ｍｍよりも広いと、張設部材１０が大きくなりすぎて、張設部材１０の軽量化が損なわれてしまう。そこで、天井レール１２の幅を上記の範囲内とすることで、作業性を確保しながら、張設部材１０の軽量化を図ることができる。
【００７０】
屈曲部係止用突出部３２（３２Ａ及び３２Ｂ）の長さ（図２における上下方向の寸法）は、例えば、３ｍｍ以上１５ｍｍ以下であることが好ましく、５ｍｍ以上１３ｍｍ以下であることが更に好ましい。この長さを３ｍｍよりも短くすると、屈曲部２４を適切に係止することができなくなり、この長さを１５ｍｍ以上にすると、屈曲部２４の係止に使われない無駄な部分が多くなって重くなる。そこで、屈曲部係止用突出部３２の長さを上記の範囲内とすることで、屈曲部２４を確実に係止しながら、屈曲部係止用突出部３２の軽量化を図ることができる。
【００７１】
棒状部５１の長さは、例えば、２０ｍｍ以上５０ｍｍ以下であることが好ましく、２５ｍｍ以上４５ｍｍ以下であることが更に好ましい。この長さを２０ｍｍよりも短くすると、押上突出部４２の先端と天板部３１との間の隙間が狭くなるため、突出端部２３を押上レール１３に引っ掛ける作業性が低下してしまい、この長さを５０ｍｍよりも長くすると、押上ネジ１４を天井下地２に捩じ込む量が長くなるため、押上ネジ１４を捩じ込む作業性が低下してします。そこで、棒状部５１の長さを上記の範囲とすることで、作業性を向上させることができる。
【００７２】
棒状部５１の外径は、例えば、２ｍｍ以上７ｍｍ以下であることが好ましく、３ｍｍ以上６ｍｍ以下であることが更に好ましい。この外径を２ｍｍよりも細くすると、膜天井１を保持するだけの十分な強度が確保できなくなり、この外径を７ｍｍよりも太くすると、天井下地２に太い穴を開ける必要があるため、天井下地２の保護の観点から好ましくない。そこで、棒状部５１の外径を上記の範囲とすることで、天井下地２を保護しながら、膜天井１の保持強度を確保することができる。
【００７３】
次に、図３〜図９を参照して、膜天井１の施工方法について説明する。図３は、膜材を膜支持部材に取り付ける状態を示した正面図である。図４は、天井下地に天井レールを取り付けた状態を示した斜視図である。図５は、天井レールの下方に押上レールを取り付けた状態を示した断面図である。図６は、部屋隅の天井下地に取り付けた天井レールに膜支持部材を取り付けた状態を示した断面図である。図７は、押上レールに膜支持部材を引っ掛ける状態を示した断面図である。図８は、押上ネジにより押上レールを押し上げている状態を示した断面図である。図９は、押上ネジにより押上レールを押し上げている状態を示した斜視図である。
【００７４】
まず、図３に示すように、膜材３の一方端部を膜支持部材１１Ａに取り付けるとともに、膜材３の他方端部を膜支持部材１１Ｂに取り付ける。すなわち、膜材３の一方端部を、先端板部２２Ａの先端縁から膜支持部材１１Ｂの反対側に回り込ませて、膜支持部材１１Ａの外側面２２ａに取り付けるとともに、膜材３の他方端部を、先端板部２２Ｂの先端縁から膜支持部材１１Ａの反対側に回り込ませて、膜支持部材１１Ｂの外側面２２ａに取り付ける。膜支持部材１１Ａ及び膜支持部材１１Ｂに対する膜材３の取り付けは、例えば、留具２５により行う。すなわち、先端板部２２Ａの外側面２２ａと押圧板２５ａとの間に膜材３の一方端部を挟みこみ、押圧板２５ａを貫通させた押圧ネジ２５ｂを先端板部２２に捩じ込む。また、先端板部２２Ｂの外側面２２ａと押圧板２５ａとの間に膜材３の他方端部を挟みこみ、押圧板２５ａを貫通させた押圧ネジ２５ｂを先端板部２２に捩じ込む。これにより、膜材３の一方端部及び他方端部は、それぞれ留具２５により先端板部２２の外側面２２ａに押圧固定される。
【００７５】
次に、図４に示すように、天板部３１が天井下地に当接するとともに、屈曲部係止用突出部３２が天板部３１に対して天井下地２の反対側（鉛直方向下側）に突出するように、天井レール１２を天井下地２に取り付ける。このとき、膜天井１の一方端縁から他方端縁まで、所定の間隔（ピッチ）で、複数の天井レール１２を並列に取り付ける。なお、以下の説明では、便宜上、膜天井１の一方端縁に取り付ける天井レール１２を一方端縁天井レール１２ａという。天井レール１２の取り付け間隔（ピッチ）は、膜材３を張設した際に、膜支持部材１１の弾性変形により膜材３に張力を付与できるように、膜支持部材１１Ａにおける先端板部２２の先端縁から膜支持部材１１Ｂにおける先端板部２２の先端縁までの距離が、膜材３の見かけ寸法よりも長くなるようにする。なお、後述するように、膜材３及び張設部材１０は押上ネジ１４により天井レール１２に固定されるため、天井下地２に対する天井レール１２の取り付けは、ネジや接着剤などの簡易なものでよい。
【００７６】
次に、図５に示すように、底板部４１に対する押上突出部４２の突出方向に向けて、押上ネジ１４の棒状部５１を押上レール１３の貫通孔４１ａに貫通させ、この状態で、棒状部５１を天井レール１２の貫通孔３１ａから天井下地２に捩じ込む。すると、底板部４１が押上ネジ１４の頭部５２に係止されるため、押上レール１３は、天井レール１２の鉛直方向下方において略水平に配置されて、押上突出部４２が底板部４１に対して天井レール１２側に向けられる。このとき、押上突出部４２Ａ及び押上突出部４２Ｂの先端縁と天井レール１２の天板部３１との間に、膜支持部材１１の突出端部２３及び天井取付板部２１を潜り込ませることが可能な隙間が生じるように、押上ネジ１４の捩じ込み量を調節する。なお、一方端縁天井レール１２ａが取り付ける箇所には、押上レール１３及び押上ネジ１４を取り付ける必要はない。
【００７７】
次に、図６に示すように、壁Ｗの近くの天井下地２に取り付けられた一方端縁天井レール１２ａを介して、膜支持部材１１Ａを天井下地２に取り付ける。具体的に説明すると、一方端縁天井レール１２ａの天板部３１に天井取付板部２１Ａを密着させて、一方端縁天井レール１２ａにおける部屋内側の屈曲部係止用突出部３２Ａに屈曲部２４Ａを係止させる。そして、この状態で、押上ネジ１４を、天井取付板部２１Ａ及び天板部３１に貫通させて天井下地２に完全に捩じ込む。なお、一方端縁天井レール１２ａに取り付けられる膜支持部材１１Ａの天井取付板部２１Ａは、鉛直方向下方からドライバなどを用いて押上ネジ１４を回転させることができるように、他の天井レール１２に取り付けられる膜支持部材１１の天井取付板部２１よりも長くなっている。これにより、膜天井１の一方端縁において、膜材３の一方端部が天井下地２に対して固定される。なお、図６では、膜天井１の一方端縁に取り付けられる天井レール１２は、壁Ｗと密着した状態としているが、実際には、施工する天井や壁の構造などに合わせて、適宜隙間が空けられる。また、一方端縁天井レール１２ａに捩じ込むのは、必ずしも押上ネジ１４である必要は無く、天板部３１を介して天井取付板部２１を天井下地２に固定することができれば如何なる部材であっても良い。
【００７８】
次に、図７に示すように、膜天井１の一方端縁から他方端縁にかけて、順次、突出端部２３Ａ及び突出端部２３Ｂを押上レール１３の押上突出部４２Ａ及び押上突出部４２Ｂに引っ掛けていく。すると、押上突出部４２Ａの先端縁と天板部３１との間に突出端部２３Ａ及び天井取付板部２１Ａが潜り込むとともに、押上突出部４２Ｂの先端縁と天板部３１との間に突出端部２３Ｂ及び天井取付板部２１Ｂが潜り込み、押上突出部４２Ａ及び押上突出部４２Ｂの上方に、それぞれ天井取付板部２１Ａ及び天井取付板部２１Ｂが配置される。これにより、隣接して張設される膜材３に取り付けられる一対の隣接した膜支持部材１１Ａ及び膜支持部材１１Ｂの天井取付板部２１が、それぞれ天板部３１と押上突出部４２との間に配置され、天井取付板部２１及び屈曲部２４が天板部３１に当接した状態になる。
【００７９】
次に、図８及び図９に示すように、膜天井１の一方端部側から他方端部側に向けて、順次、押上ネジ１４を天井下地２に捩じ込んでいく。
【００８０】
具体的に説明すると、押上ネジ１４を天井下地２に捩じ込む前は、図８（ａ）及び図９の右側に示すように、膜支持部材１１Ａの先端板部２２Ａと膜支持部材１１Ｂの先端板部２２Ｂとが離間して開いた状態となっている。なお、図８において、左側に図示した膜材３Ａは、膜天井１の一方端部側に配置される膜材であり、右側に図示した膜材３Ｂは、膜天井１の他方端部側に配置される膜材である。
【００８１】
押上ネジ１４を天井下地２に捩じ込んでいくと、図８（ｂ）に示すように、押上レール１３により膜支持部材１１Ａの天井取付板部２１Ａ及び膜支持部材１１Ｂの天井取付板部２１Ｂが天井下地２側に押し上げられていく。
【００８２】
このとき、膜材３には、膜材３の自重などにより張力が付与されているため、先端板部２２Ａは、同じ膜材３Ｂに取り付けられている膜支持部材１１Ｂ側に引っ張られるとともに、先端板部２２Ｂは、同じ膜材３Ｂに取り付けられている膜支持部材１１Ａ側に引っ張られる。一方、屈曲部２４Ａが屈曲部係止用突出部３２Ａに係止されることで、屈曲部２４Ａの同じ膜材３Ａに取り付けられている膜支持部材１１Ｂ側への移動が規制されるとともに、屈曲部２４Ｂが屈曲部係止用突出部３２Ｂに係止されることで、屈曲部２４Ｂの同じ膜材３Ｂに取り付けられている膜支持部材１１Ａ側への移動が規制される。その結果、膜支持部材１１Ａ及び膜支持部材１１Ｂは、屈曲部２４を支点として回動し、先端板部２２Ａの先端縁が同じ膜材３Ｂに取り付けられている膜支持部材１１Ｂの反対側に向けて移動するとともに、先端板部２２Ｂの先端縁が同じ膜材３Ａに取り付けられている膜支持部材１１Ａの反対側に向けて移動する。これにより、膜材３Ａは、先端板部２２Ｂの先端縁に引っ張られて更なる張力が付与され、膜材３Ｂは、先端板部２２Ａの先端縁に引っ張られて更なる張力が付与される。
【００８３】
押上ネジ１４を天井下地２に完全に捩じ込むと、図８（ｃ）及び図９の中央に示すように、膜支持部材１１Ａ及び膜支持部材１１Ｂの回動が停止し、先端板部２２Ａ及び先端板部２２Ｂの先端縁で形成される目地の幅が固定される。
【００８４】
そして、膜材３の両端部に取り付けられた膜支持部材１１Ａ及び膜支持部材１１Ｂを天井下地２側に押し上げる押上ネジ１４を天井下地２に完全に捩じ込むことで、図９の左側に示すように、天井下地２に対する膜材３の設置と、膜材３に対する張力の付与が完了する。
【００８５】
このとき、膜支持部材１１Ａにおける先端板部２２Ａの先端縁から膜支持部材１１Ｂにおける先端板部２２Ｂの先端縁までの距離が、膜材３の見かけ寸法よりも長くなっているため、膜支持部材１１Ａ及び膜支持部材１１Ｂが弾性変形した状態で、膜材３が張設される。
【００８６】
ここで、膜支持部材１１Ａ及び膜支持部材１１Ｂの弾性変形に関して詳しく説明する。通常、天井下地２は不陸となっているため、隣接する天井レール１２を平行に配置するのは極めて難しい。隣接する天井レール１２の平行度が低いと、天井レール１２の延在方向に沿って隣接する天井レール１２間の距離が変化するため、膜材３の両端部に取り付けられる先端板部２２Ａ及び先端板部２２Ｂの各先端縁間の距離が、天井レール１２の延在方向に沿って変化する。この場合、膜支持部材１１Ａにおける先端板部２２Ａの先端縁から膜支持部材１１Ｂにおける先端板部２２Ｂの先端縁までの距離と膜材３の見かけ寸法とを等しくすると、膜材３に付与される張力にばらつきが生じてしまい、部分的に皺や弛みが生じてしまう。しかも、天井レール１２の延在方向中央部に比べて、天井レール１２の開放端である延在方向両端部では、膜材３に付与される張力が低下し易くなるため、膜材３に生じる皺や弛みが更に大きくなってしまう。
【００８７】
そこで、膜支持部材１１Ａにおける先端板部２２Ａの先端縁から膜支持部材１１Ｂにおける先端板部２２Ｂの先端縁までの距離を、膜材３の見かけ寸法よりも長くし、膜支持部材１１Ａ及び膜支持部材１１Ｂを弾性変形させて膜材３に張力を付与することで、膜材３に付与される張力の均一化を図ることができ、膜材３に生じる皺や弛みを低減させることができる。
【００８８】
以上説明したように、本実施形態によれば、押上レール１３で天井取付板部２１Ａ及び天井取付板部２１Ｂを天井下地２に取り付けることにより、隣接する膜材３の天井下地２に対する設置と、この隣接する膜材に対する張力の付与とを同時に行うことができるため、簡単に膜天井１を施工することができる。しかも、膜材３の伸縮性を必要としないため、ガラス繊維樹脂シートのような非伸縮性の不燃膜材を使用することができる。これにより、広い面積の天井面にも、簡単に膜天井１を施工することができる。
【００８９】
更に、従来のものと異なり、膜支持部材１１Ａ、膜支持部材１１Ｂ、天井レール１２、押上レール１３及び押上ネジ１４という簡易な構成で張設部材１０を実現できるため、膜天井１の大幅な軽量化を図ることができる。このため、従来の膜天井のように、建物側に大掛かりな補強を行う必要が無くなる。これにより、例えば、補強工事が行われていない既存の天井下地や軽量鉄骨下地などにも簡単に膜天井１を施工することができる。しかも、このように簡易かつ軽量な構成であることから、膜天井１を複数に分割して多数の膜材３を天井下地２に張設することができる。これにより、極めて広い面積の天井面にも、簡単に膜天井１を施工することができる。また、このように膜天井１を分割することで、膜材３の一枚あたりの張力が小さくなるため、天井下地２をより簡素なものとすることができる。
【００９０】
しかも、押上レール１３による天井取付板部２１Ａ及び天井取付板部２１Ｂの押上量を変えると、屈曲部２４Ａ及び屈曲部２４Ｂを回転軸とした先端板部２２Ａ及び先端板部２２Ｂの先端縁の回転位置が変わるため、施工後に発生した地震などの振動により、隣接する膜材３の間の目地幅が変化したとしても、押上レール１３による天井取付板部２１Ａ及び天井取付板部２１Ｂの押上量を調整するだけで、容易に目地幅を調整することができる。
【００９１】
また、天井下地２と天井取付板部２１Ａ及び天井取付板部２１Ｂとの間に天板部３１を介挿することで、天井下地２の負荷を軽減して天井下地が変形するのを抑制することができる。
【００９２】
また、屈曲部２４Ａ及び屈曲部２４Ｂが屈曲部係止用突出部３２Ａ及び屈曲部係止用突出部３２Ｂに係止されることで、屈曲部２４Ａの膜支持部材１１Ｂ側への移動を規制することができるとともに、屈曲部２４Ｂの膜支持部材１１Ａ側への移動を規制することができる。しかも、この隣接した膜支持部材１１Ａ及び膜支持部材１１Ｂの位置関係を固定することができるため、容易に目地幅の均一化を図ることができる。
【００９３】
また、押上ネジ１４により押上レール１３を天井下地２側に押し上げることで、隣接する天井取付板部２１Ａ及び天井取付板部２１Ｂを一体的に天井下地２側に押し上げて天井下地２に取り付けることができる。これにより、隣接して張設される膜材３の目地幅を容易に調整することができる。しかも、押上ネジ１４が貫通される貫通孔３１ａ及び貫通孔４１ａが天板部３１及び底板部４１の中央部に形成されているため、隣接する膜材３の間の目地幅を狭くしても、押上ネジ１４の捩じ込み量を容易に調整することができる。
【００９４】
また、突出端部２３Ａ及び突出端部２３Ｂを押上突出部４２Ａ及び押上突出部４２Ｂに引っ掛けることで、底板部４１の上方に天井取付板部２１Ａ及び天井取付板部２１Ｂが配置された状態を保持することができるため、押上ネジ１４により押上レール１３を天井下地２側に押し上げる際の作業性を向上することができる。しかも、突出端部２３Ａ及び突出端部２３Ｂが押上突出部４２Ａ及び押上突出部４２Ｂに係止されることで、屈曲部２４Ａの膜支持部材１１Ｂ側への移動を規制することができるとともに、屈曲部２４Ｂの膜支持部材１１Ａ側への移動を規制することができる。
【００９５】
また、屈曲部２４Ａ及び屈曲部２４Ｂにより天井取付板部２１Ａ及び天井取付板部２１Ｂと先端板部２２Ａ及び先端板部２２Ｂとを鋭角に屈曲させることで、目地幅を狭くすることができる。しかも、目地から張設部材１０を見え難くすることができるとともに、目地自体を目立たなくすることができるため、室内から見上げた際にあたかも一枚の膜材からなる膜天井であるように感じさせることができる。
【００９６】
以上、本発明の好適な実施形態について説明したが、本発明は上記実施形態に限定されるものではなく、種々の変形が可能である。
【００９７】
例えば、張設部材１０は、上記実施形態に記載されたものに限定されず、例えば、図１０に示すようなものであってもよい。すなわち、図１０（ａ）に示す張設部材１０ａのように、屈曲部の屈曲角度を９０°にすることもでき、更にはこの屈曲角度を鈍角にすることもできる。また、図１０（ｂ）に示す張設部材１０ｂのように、押上レールを用いずに、直接ネジなどで天井取付板部を天井下地側に押し上げて膜支持部材を天井下地に取り付けることもできる。また、図１０（ｃ）に示す張設部材１０ｃのように、天井レールを用いないものとすることもできる。この場合、押上レール１３により膜支持部材１１の突出端部２３を係止させることで、先端板部の外側に向かう屈曲部の移動を規制することができる。
【００９８】
また、膜支持部材は、突出端部を備えないものとすることもできる。この場合、膜支持部材を押上レールに引っ掛けるのが難しくなるため、膜支持部材が天井下地に取り付けられるまで、手や他の部材で膜支持部材を支えることが好ましい。
【００９９】
また、上記実施形態では、膜材固定部材を構成する膜支持部材１１Ａが天井下地２に取り付けられるものとして説明したが、膜材固定部材の取り付け位置は天井下地２に限定されるものではなく、壁などの天井近傍にある建物部位であれば如何なる場所であっても良い。
【符号の説明】
【０１００】
１…膜天井、２…天井下地、３…膜材、３Ａ…膜材（第一の膜材）、３Ｂ…膜材（第二の膜材）、１０…張設部材（膜天井張設部材）、１０ａ…張設部材、１０ｂ…張設部材、１０ｃ…張設部材、１１…膜支持部材、１１Ａ…膜支持部材（膜材固定部材、第一の膜材固定部材、第二の膜支持部材）、１１Ｂ…膜支持部材（膜支持部材、第一の膜支持部材、第二の膜材固定部材）、１２…天井レール（取付部材、天井レール）、１２ａ…一方端縁天井レール、１３…押上レール（取付部材、一体取付部材）、１４…押上ネジ（取付部材、移動部材）、２１…天井取付板部、２１Ａ…天井取付板部（第二の天井取付板部）、２１Ｂ…天井取付板部（天井取付板部、第一の天井取付板部）、２２…先端板部、２２ａ…外側面、２２ｂ…内側面、２２Ａ…先端板部（第二の先端板部）、２２Ｂ…先端板部（先端板部、第一の先端板部）、２３…突出端部、２３Ａ…突出端部（第二の突出端部）、２３Ｂ…突出端部（第一の突出端部）、２４…屈曲部、２４Ａ…屈曲部（第二の屈曲部）、２４Ｂ…屈曲部（屈曲部、第一の屈曲部）、２５…留具、２５ａ…押圧板、２５ｂ…押圧ネジ、３１…天板部、３１ａ…貫通孔、３２…屈曲部係止用突出部、３２Ａ…屈曲部係止用突出部（屈曲部係止用突出部）、３２Ｂ…屈曲部係止用突出部（屈曲部係止用突出部）、４１…底板部、４１ａ…貫通孔、４２…押上突出部、４２Ａ…押上突出部（押上突出部）、４２Ｂ…押上突出部（押上突出部）、５１…棒状部、５２…頭部。
【図１】
0005782983.tif 000002
【図２】
0005782983.tif 000003
【図３】
0005782983.tif 000004
【図４】
0005782983.tif 000005
【図５】
0005782983.tif 000006
【図６】
0005782983.tif 000007
【図７】
0005782983.tif 000008
【図８】
0005782983.tif 000009
【図９】
0005782983.tif 000010
【図１０】
0005782983.tif 000011